(57)【要約】【課題】  重量物が吊下げられ危険部位とされるフック本体に触れることなく外れ防止バーの開閉作業を安全に行うことが出来ると共に、開閉作業を容易に行うことが出来る外れ防止付きフックを提供する。【解決手段】  クレーン等の重量物搬送装置から吊り下げられるロープに連結される連結部と該連結部から下方に延出される略Ｊ字状のフックとから成るフック本体と、フック上部又はフック上部から延出される枝部に備えられる軸と、基端側が軸に回動自在に取付けられる逆Ｌ字状の操作桿と、操作桿の先端から斜め下方のフック先端に向けて延出される外れ防止バーと、操作桿の枢動範囲を制限する枢動範囲規制手段とを備えた。【選択図】図１
2013043778.tif 000002
【特許請求の範囲】
【請求項１】
クレーン等の重量物搬送装置から吊り下げられるロープに連結される連結部２と該連結部から下方に延出される略Ｊ字状のフック３とから成るフック本体１と
フック上部又はフック上部から延出される枝部４に備えられる軸５と
基端側が軸５に回動自在に取付けられる逆Ｌ字状の操作桿６と
操作桿６の先端から斜め下方のフック先端に向けて延出される外れ防止バー７と
操作桿６の枢動範囲を制限する枢動範囲規制手段と
を備えたことを特徴とする外れ防止付きフック
【請求項２】
請求項１の操作桿に所望の方向に延出可能とされる延長操作桿が備えられたことを特徴とする外れ防止付きフック
【発明の詳細な説明】
【技術分野】
【０００１】  本発明は、重量物をクレーン等で吊り上げる場合に使用される外れ防止付きフックに関する。
【背景技術】
【０００２】  外れ防止ストッパーの開閉作業を安全に行うことが出来ると共に、開閉作業を容易に行うことが出来るストッパー付の吊り作業用フックが知られている（例えば、特許文献１参照）。ここでは、円弧状のフック本体（１）と、フック本体（１）前方の開口部を塞ぐストッパー（２）と、フックの開閉を保持するトリガー（３）とにより構成され、前記フック本体（１）と前記ストッパー（２）は同一の軸（４）で回動可能に軸着され、ストッパー（２）の上端には連結環（５）を備え、前記トリガー（３）はフック本体（１）の後部に位置し、フック本体（１）に回動可能に軸着され、かつストッパー（２）を開放位置若しくは閉鎖位置で保持するようにばねで付勢された吊り作業用フックにおいて、支持部材（６）を、トリガー（３）の下方位置に備えたことが特徴とされている。
【先行技術文献】
【特許文献】
【０００３】
【特許文献１】  特開２０１０−４２８８３号
【発明の概要】
【発明が解決しようとする課題】
【０００４】  しかしながら、上記先行技術には次のような欠点がある。すなわち、ストッパー（２）とトリガー（３）との間に指が挟まれて怪我をする場合がある。また、トリガー（３）を操作する指と支持部材（６）を支持する指のフックに対する操作力のかけ方が不自然なため無意識に従来同様にフックの内周部に指をかけてしまい怪我をする場合があった。さらにまた、ばねで付勢されたトリガー（３）を操作するにはばねの弾発力に勝る指の操作力が必要とされ、指の筋肉負担が大きく作業量の多い現場では指の腱鞘炎を発症する恐れがある。
本発明は、以上のような背景のもとになされたもので、重量物が吊下げられ危険部位とされるフック本体に触れることなく外れ防止バーの開閉作業を安全に行うことが出来ると共に、開閉作業を容易に行うことが出来る外れ防止付きフックを提供しようとするものである。
【課題を解決するための手段】
【０００５】  本発明の解決しようとする課題は以上の如くであり、次にこの課題を解決するための手段を説明する。【０００６】  請求項１に示す外れ防止付きフックは、クレーン等の重量物搬送装置から吊り下げられるロープに連結される連結部と該連結部から下方に延出される略Ｊ字状のフックとから成るフック本体と、フック上部又はフック上部から延出される枝部に備えられる軸と、基端側が軸に回動自在に取付けられる逆Ｌ字状の操作桿と、操作桿の先端から斜め下方のフック先端に向けて延出される外れ防止バーと、操作桿の枢動範囲を制限する枢動範囲規制手段とを備えたものである。【０００７】  請求項２に示す外れ防止付きフックは、請求項１の操作桿に所望の方向に延出される延長操作桿が備えられたたものである。
【発明の効果】
【０００８】  本発明の効果として、以下に示すような効果を奏する。
１、操作桿（延長操作桿）を持ち上げると外れ防止バーが後退してフックの開口部が開放され、さらに持ち上げるとついにはフック本体も持ち上がるので操作桿（延長操作桿）を介してフック本体を任意姿勢又は任意場所に操作・移動できる。
２、操作桿（延長操作桿）の操作だけでフックを重量物に掛合できるのでフックと重量物との間に手指が挟まれる危険が存在しないので安全にフック掛け作業ができる。
３、操作桿（延長操作桿）から手を離すと自重により元の位置に戻り外れ防止バーがフックの開口部を閉塞させるのでフックが重量物から外れることはない。これにより、安全状態を維持できる。また、安価な外れ防止付きフックを提供できる。
４、延長操作桿を操作することにより重量物の被掛止部から適宜離間された位置からでもフック掛け作業が容易にできる。
【図面の簡単な説明】
【０００９】
【図１】  本発明の実施例を示す側面図である。
【図２】  図１のＡ視図である。
【図３】  本発明の他の実施例を示す側面図である。
【図４】  図３のＢ視図である。
【発明を実施するための最良の形態】
【００１０】
【実施例１】
【００１１】  図１、２を用いて本発明に係る外れ防止付きフックについて説明する。
１はクレーン等の重量物搬送装置から吊り下げられるロープＷに連結される連結部２と該連結部２から下方に延出される略Ｊ字状のフック３とから成るフック本体。
４はフック上部から延出され先端部に軸５が突設される枝部。６は基端側が軸５に回動自在に取付けられる逆Ｌ字状の操作桿。７は操作桿６の先端から斜め下方のフック先端に向けて延出される外れ防止バー。８は外れ防止バー７の中央部に固着されてフック３に当接するとフック３の開口部を外れ防止バー７が遮蔽するようにされた枢動範囲規制手段としての閉塞限ストッパ。９は操作桿６の連結部２に対向する部位に固着され操作桿６が一定以上枢動されて外れ防止バー７がフック３の開口部を開放する位置に達すると連結部２に当接される枢動範囲規制手段としての開放限ストッパ。１０は操作桿６に連結される延長操作桿。【００１２】  以上の構成においてその作用を説明する。
まず、操作桿６又は延長操作桿１０を持ち上げると操作桿６は軸５を支点として上方に枢動して開放限ストッパ９が連結部２に当接される。これにより、操作桿６に連結される外れ防止バー７が同調して後退しフック３の開口部を開放する。次いで、重量物を支持するワイヤロープＰのループ部をフック３に掛止させた後、操作桿６又は延長操作桿１０から手を離すと操作桿６は自重によって下方に枢動し閉塞限ストッパ８がフック３に当接する。これにより、外れ防止バー７がフック３の開口部を閉塞する。【００１３】  この後、フック本体１をクレーンで吊り上げて重量物を所要の場所に移動させて着地させる際、重量物がすでに着地しているにもかかわらずフック本体１がさらに下降してワイヤロープＰがフック３から外れようとして外れ防止バー７を押圧してもその押圧力は外れ防止バー７を閉じる方向に作用するのでワイヤロープＰは外れず安全である。
次いで、前記同様に、操作桿６又は延長操作桿１０を持ち上げてフック３の開口部を開放させ、重量物を支持するワイヤロープＰのループ部をフック３から外した後、操作桿６又は延長操作桿１０から手を離して次の作業に備える。
【実施例２】
【００１４】  図３、４を用いて本発明に係る外れ防止付きフックの実施例２について説明する。
１１はクレーン等の重量物搬送装置から吊り下げられるロープに連結される連結部１２と該連結部１２から下方に延出される軸から左右に八字状に伸び途中から平行に伸びる一対の略Ｊ字状のフック１３、１３とから成るフック本体。なお、１３ａはフック１３、１３の間に橋架される補強バー。１４はフック１３、１３の上部側の間に橋架される軸であり、一対のカラー１５、１５が操作桿１６を介して対向して装着されている。１６は基端側が軸１４に回動自在に取付けられる逆Ｌ字状の操作桿。１７は操作桿１６から左右に延出されフック１３、１３の内側まで伸びる連結棒１６ａの両端に連結されてフック１３、１３の先端方向に延びる一対の外れ防止バー。１８は外れ防止バー１７の先端から外方に伸びフック１３の先端部内周面に当接される枢動範囲規制手段としての閉塞限ストッパ兼開放限ストッパ。２０は操作桿６の先端部に螺刻される雌ねじに螺着されるボルト１９によって連結されボルト１９を枢軸として任意な枢動角度に保持可能とされる延長操作桿。【００１５】  以上の構成においてその作用を説明する。
実施例１と同様に、操作桿１６又は延長操作桿２０を持ち上げると操作桿１６は軸１４を支点として上方に枢動し操作桿１６に連結棒１６ａを介して連結される外れ防止バー１７、１７が同調して後退し閉塞限ストッパ兼開放限ストッパ１８、１８がフック１３、１３の基軸側内周面（図３中右側内周面）に当接される。これにより、フック１３、１３の開口部が開放される。次いで、重量物を支持するワイヤロープＰのループ部をフック１３に掛止させた後、操作桿１６又は延長操作桿２０から手を離すと操作桿１６は自重によって下方に枢動し閉塞限ストッパ兼開放限ストッパ１８が図３のようにフック１３、１３の先端部内周面に当接する。これにより、外れ防止バー１７がフック１３、１３の開口部を閉塞する。【００１６】  この後、フック本体１１をクレーンで吊り上げて重量物を所要の場所に移動させて着地させる際、重量物がすでに着地しているにもかかわらずフック本体１１がさらに下降してワイヤロープＰがフック１３から外れようとして外れ防止バー１７を押圧してもその押圧力は外れ防止バー７を閉じる方向に作用するのでワイヤロープＰは外れず安全である。
次いで、前記同様に、操作桿１６又は延長操作桿２０を持ち上げてフック１３の開口部を開放させ、重量物を支持するワイヤロープＰのループ部をフック１３から外した後、操作桿１６又は延長操作桿２０から手を離して次の作業に備える。【００１７】  なお、パレット等箱状体の上縁部に橋架される水平梁をフックに掛止させてパレットを移動させる際、特には、高所に積み上げたパレットの水平梁からフックを外す作業が存在する場合は図３のように延長操作桿２０を下方に伸ばしてボルト１９により姿勢保持させておくと水平梁に手が届かなくても延長操作桿２０を操作してフックの開口部を開放した状態でフック本体を下降させるとフックからパレットの水平梁を外すことができて便利である。【００１８】  また、床面より低所でパレットの水平梁からフックを外す作業が存在する場合は延長操作桿２０を上方に伸ばしてボルト１９により姿勢保持させておくと水平梁に手が届かなくても延長操作桿２０を操作してフックの開口部を開放した状態でフックからパレットの水平梁を外すことができて便利である。【００１９】  このように、必要に応じて延長操作桿２０の姿勢を保持させると重量物の水平梁等の被掛止部に手が届かない場所でも延長操作桿２０を操作することによりフックの掛け外しができるので便利である。【００２０】  なお、上記実施例では、操作桿が自重により下方に枢動し外れ防止バーが常時フック開口部を閉塞する構成とされているが、これに限るものではない。すなわち、適宜場所にばね等の弾性体を配設させて、外れ防止バーが常時フック開口部を閉塞するようその弾発力を付勢させる構成にしても良いことは言うまでもない
【産業上の利用可能性】
【００２１】  重量物を移動させるクレーン等に吊下されるワイヤロープ先端に連結されるフックに利用される。
【符号の説明】
【００２２】  １  フック本体
２  連結部
３  フック
４  枝部
５  軸
６  操作桿
７  外れ防止バー
８  閉塞限ストッパ
９  開放限ストッパ
１０  延長操作桿
１１  フック本体
１２  連結部
１３  フック
１４  軸
１５  カラー
１６  操作桿
１７  外れ防止バー
１８  閉塞限ストッパ兼開放限ストッパ
１９  ボルト
２０  延長操作桿
【図１】
2013043778.tif 000003
【図２】
2013043778.tif 000004
【図３】
2013043778.tif 000005
【図４】
2013043778.tif 000006